(57)【特許請求の範囲】
【請求項１】
調理により発生した廃ガスをフード部（１）で捕集し、フード部（１）の外に設置されている遠心送風機（２３）を排気源とする排気ユニット（３）に排気ダクト（２）を介して、前記廃ガスを屋外に排気するように構成されているレンジフードであって、
前記排気ユニット（３）は、内部に前記遠心送風機（２３）を収容して建物壁（Ｗ）の開口（Ｗ１）に挿入されるユニットケース（１３）と、
このユニットケース（１３）内に配管されて、前記フード部（１）に連通される前記排気ダクト（２）に一端側が接続されるとともに、他端側が前記遠心送風機（２３）の吸込口（２３ｅ）に接続される中間ダクト（５）と、
前記ユニットケース（１３）を室内側から建物壁（Ｗ）に取付けるための取付部（３３）と、を備え、
前記中間ダクト（５）は、前記排気ダクト（２）と同じく断面積の変化が少ない円筒形に形成されており、前記ユニットケース（１３）を、前記開口（Ｗ１）に挿入させて前記取付部（３３）で前記建物壁（Ｗ）に取り付けるときに、前記ユニットケース（１３）の下面部分に開口されている前記遠心送風機（２３）の排気口（１３ａ）を屋外に臨ませるように構成していることを特徴とするレンジフード。
【請求項２】
前記遠心送風機（２３）よりも上流側の前記中間ダクト（５）内に、ダンパー（７）を設けていることを特徴とする請求項１に記載のレンジフード。
【請求項３】
前記ユニットケース（１３）および前記中間ダクト（５）が伸縮可能に形成されていることを特徴とする請求項１または請求項２に記載のレンジフード。
【請求項４】
前記中間ダクト（５）は、前記ダンパー（７）を備えたダンパー支持ダクト（５ａ）を有し、このダンパー支持ダクト（５ａ）との嵌合代で伸縮可能に形成されていることを特徴とする請求項１〜請求項３のいずれか１項に記載のレンジフード。
【請求項５】
前記ユニットケース（１３）内における前記中間ダクト（５）のダクト外配管スペースを利用して制御部（Ｃ）を収容するとともに、前記フード部（１）以外に受信部（Ｂ）を設け、かつ、前記フード部（１）もしくはフード部（１）とは別体に発信部（Ｄ）を備えていることを特徴とする請求項１〜請求項４のいずれか１項に記載のレンジフード。
【請求項６】
前記遠心送風機（２３）のケーシング（２３ｄ）の下部から、油を室内側もしくは屋外側に案内するようにしていることを特徴とする請求項１〜請求項５いずれか１項に記載のレンジフード。
【請求項７】
前記建物壁（Ｗ）の前記開口（Ｗ１）に壁側枠部材（９）を設けるととともに、前記ユニットケース（１３）にユニット側枠部材（１０）を設け、かつ、このユニット側枠部材（１０）および前記壁側枠部材（９）の一方または双方に環状シール材（Ｐ１）を設けて、
前記ユニットケース（１３）を前記開口（Ｗ１）に取り付けるときに、前記壁側枠部材（９）と前記ユニット側枠部材（１０）との両枠部材（９，１０）で押圧される前記環状シール材（Ｐ１）が、前記開口（Ｗ１）と前記ユニットケース（１３）との間を封止するようにしていることを特徴とする請求項１〜請求項６のいずれか１項に記載のレンジフード。
【請求項８】
前記ユニット側枠部材（１０）の取付位置を、調節可能にしていることを特徴とする請求項７に記載のレンジフード。
【請求項９】
前記建物壁（Ｗ）の前記開口（Ｗ１）に環状の薄肉状パッキン（Ｐ２）を設け、この薄肉状パッキン（Ｐ２）が、前記ユニットケース（１３）を前記開口（Ｗ１）へ挿入するときに弾性変形されて該ユニットケース（１３）の外周面に密接するようにしていることを特徴とする請求項１〜請求項８のいずれか１項に記載のレンジフード。
【発明の詳細な説明】
【０００１】
【発明の属する技術分野】
本発明は、調理時に発生する油煙や調理臭等を屋外に排出するためのレンジフードに関するものである。
【０００２】
【従来技術】
従来、調理により発生した油煙を捕獲するために捕集空間を深く確保したレンジフードが主流となっており、大型のフード部がキッチンに取付けられていた。
しかし、近年では多量の油煙が発生する調理も少なくなってきており、深い捕集空間を確保することよりもデザイン性を優先するニーズが多くなってきているのが実状である。
【０００３】
そこで、そのデザイン性を優先するためには設計上の制約を出来る限り少なくすべきであるがレンジフードにはその排気源として建物の高層化、高気密化に伴い一般的に外風や室内の負圧に強い遠心送風機が広く使用されている。
【０００４】
この遠心送風機はその構成する部材がファンのほかにファンを収容する大型のケーシングが必要不可欠であり、そのためプロペラ式の送風機に比べても部品数が多くて大型化する傾向が高く、重量化するものである。
そのため、フード部内部の限られた空間において送風機の設置には必然的に大きな空間が必要となり、設計上の制約が大きくなる結果、比較的頑丈に製作されることも相俟って斬新なデザインが実施できないという問題が生じていた。
【０００５】
これを防止するために、フード部内から遠心送風機を分離してフード部天板上に設置式にしたり、建物壁の開口に臨んで固定した差込枠に遠心送風機を支持する等の種々な手段で支持されている。
しかしながら、遠心送風機がキッチンの有効スペースを占有することには変わりはなく、フード部のデザインの自由度を拡大できない問題がある。
そこで、建物壁スペースを利用して遠心送風機を設置することが提案されるが、建物の高層化のため室内側から取付られるものでなくてはならない。排気時に騒音や異音が発生するものではいけない。建物壁の様々な厚みに対応するものではなければならない。雨水の浸入を防止するものでなければならない。等、様々な課題を解決する必要がある。
【０００６】
【発明が解決しようとする課題】
本発明は上記従来事情に鑑みてなされたもので、その第１の目的は、建物壁内に遠心送風機を排気源とする排気手段を設置してその排気手段によるフード部の制約を無くしてフード部の設計上の自由度を拡大し、しかも遠心送風機を排気源とするその排気手段を室内から建物壁内に挿入し且つ取付けできるようにすることである。
第２の目的は、遠心送風機に吸い込まれるまでの排気流の流入抵抗を低減することである。
第３の目的は、遠心送風機のケースへの油の付着を防止することである。
第４の目的は、室内に露出するダンパーによる設計寸法上のフード部の制約を低減することである。
第５の目的は、取付けられる建物壁の厚さの変化にも自由に対応させることである。
第６の目的は、フード部への制御部、受信部等の取付による設計上の制約を低減することである。
第７の目的は、遠心式送風機内に溜まった油を効率よく室内もしくは屋外に案内することである。
第８の目的は、ウエザーカバー等を使用せずに室内側からの取付工事だけでも雨水の浸入を確実に防止することである。
第９の目的は、雨水の浸入防止手段が建物壁の厚さの変化にも自由に対応することである。
【０００７】
【課題を解決するための手段】
前記課題を解決するために講じた技術的手段は、調理により発生した廃ガスをフード部で捕集し、フード部の外に設置されている遠心送風機を排気源とする排気ユニットに排気ダクトを介して、前記廃ガスを屋外に排気するように構成されているレンジフードであって、前記排気ユニットは、内部に前記遠心送風機を収容して建物壁の開口に挿入されるユニットケースと、このユニットケース内に配管されて、前記フード部に連通される排気ダクトに一端側が接続されるとともに、他端側が前記遠心送風機の吸込口に接続される中間ダクトと、前記ユニットケースを室内側から建物壁に取付けるための取付部と、を備え、前記中間ダクトは、前記排気ダクトと同じく断面積の変化が少ない円筒形に形成されており、前記ユニットケースを、前記開口に挿入させて前記取付部で建物壁に取り付けるときに、前記ユニットケースの下面部分に開口されている前記遠心送風機の排気口を屋外に臨ませるように構成していることを特徴とする（請求項１）。
【０００８】
以上の手段によれば、遠心式送風機を収容した排気ユニットを建物壁内から屋外にかけて室内側に突出させずに室内側から挿入して建物壁に取付ける。
そして、縦方向に向けて遠心送風機を収容した排気ユニットにあって、遠心送風機の吸込口とフード部側の排気ダクトとを中間ダクトで接続した排気経路を構成している場合には、流路途中での容積の拡張や縮小による排気流の流入抵抗を低減させる。
【０００９】
また、前記遠心送風機よりも上流側のユニットケース内にダンパーを設けた構成を採用すると（請求項２）、室内にダンパーが露出することによるフード部の設計上の制約を低減させることができる。
【００１０】
さらに、前記排気ユニットのユニットケースおよび中間ダクトを伸縮可能に構成することによって（請求項３）、建物壁の壁厚の大小に関わらず、遠心送風機の排気口を屋外に臨む状態で排気ユニットを建物壁に取り付けることができる。
【００１１】
そして、前記中間ダクトが、嵌合されるダンパーを備えたダンパー支持ダクトを有し、このダンパー支持ダクトとの嵌合代で伸縮可能に形成されている構成を採用することによって（請求項４）、ダンパーの支持部材を有効に利用して建物壁の壁厚の大小に対応させることができる。
【００１２】
また、前記排気ユニット内における前記中間ダクトのダクト外スペースに制御部を設けるとともに、フード部以外に受信部を設け、前記フード部もしくはフード部とは別体に発信部を備えている構成を採用することによって（請求項５）、フード部内に配線によるフード部の設計上の自由度を増大することができる。
【００１３】
そして、前記遠心送風機のケーシングの下部から油を室内側もしくは屋外に案内するようにしている構成を採用することによって（請求項６）、遠心送風機の内部への油の停留を阻止することができる。
【００１４】
また、前記建物壁の開口に壁側枠部材を設けるとともに、前記排気ユニットの外周にユニット側枠部材を設け、かつ、このユニット側枠部材および前記壁側枠部材の一方もしくは双方に環状シール材を設けて、前記排気ユニットを建物壁の開口に取り付けるときにユニット側枠部材および前記壁側枠部材の両枠部材で押圧される前記環状シール材が前記建物壁の開口と排気ユニットとの間を封止する構成とする（請求項７）。また、前記建物壁の開口に環状の薄肉状パッキンを設け、この薄肉状パッキンが、建物壁の開口への挿入時の排気ユニットで弾性変形されて、この排気ユニットの外周面に密接する構成とする（請求項９）、などを採用することによって、排気ユニットの建物壁の開口への挿入で、自動的に排気ユニットと建築物の開口の内面との間からの雨水の室内への浸入を防止する処理を行うことができる。
【００１５】
そして、前記の請求項７において、ユニット側枠部材の取付位置を調節可能にしておくことによって（請求項８）、建物壁の壁厚の大小に関わらず、建物壁への取付時に開口への挿入で、自動的に排気ユニットと建築物の開口の内面との間からの雨水の室内への浸入を防止する処理を行うことができる。
また、遠心送風機よりも上流側の中間ダクト内に、ダンパーを設けている構成を採用することによって（請求項２）、室内にダンパーが露出することによるフード部の設計上の制約を低減させることができる。
【００１６】
【発明の実施の形態】
以下、本発明に係るレンジフードの第１の実施の形態を、図１に基づいて説明する。
図１に示す第１の実施の形態を説明すると、レンジフードＡは、加熱調理器具の上方に設置されたフード部１と、このフード部１に排気ダクト２を介して接続されて建物壁Ｗに貫通状に取り付けられる排気ユニット３とで構成されている。
【００１７】
フード部１は、遠心送風機２３と共にその遠心送風機２３の運転操作やランプのＯＮ・ＯＦＦを制御する制御部Ｃを内部から分離し、運転操作やランプをＯＮ・ＯＦＦするための操作スイッチＳを前面等の所要箇所に、または排気ダクト２との連通する天面部分にグリスフィルタ４を夫々設けている。
【００１８】
排気ユニット３は、一端を開放する箱状を呈するユニットケース１３の開放部に取着される取付部３３を設けているとともに、ユニットケース１３内には遠心送風機２３を収容している。
【００１９】
ユニットケース１３は、同図１に示すように建物壁Ｗ厚よりも長尺に形成され、その閉口部側に接近して遠心送風機２３を縦方向を向いて設置すると共に遠心送風機２３の吐出口２３ａに連通して下面に排気口１３ａを開口し、開放部に内向きフランジ１３ｂを折曲形成している。
【００２０】
遠心送風機２３は、ファン２３ｂ、ファンモータ２３ｃ、ケーシング２３ｄからなる周知の多翼ファンであり、送風機吸込口２３ｅをユニットケース１３の開放部側に向くように縦向きに設置し、その吐出口２３ａを前記の通りユニットケース１３の下面に開口した排気口１３ａに連通させてある。
尚、この実施の形態と共に他の実施の形態では送風機吸込口２３ｅを形成するベルマウス２３ｆをケーシングと一体にしているが、実際には着脱可能になっている。
【００２１】
取付部３３は、ユニットケース１３の開放部を閉塞するように前記する内向きフランジ１３ｂにネジ１００止めされた化粧パネル（後述では符号３３を付して説明する）であり、中央に排気ダクト２の一端を接続するための筒状のユニット吸込口３３ａを開口し、その化粧パネル３３に建物壁Ｗ内面にネジ１００止めされるようになっている。
また、ユニットケース１３内には、遠心送風機２３の上流側の内部スペースを利用して前記制御部Ｃを設置している。
【００２２】
そして、斯様に構成された排気ユニット３を、前記化粧パネル３３が建物壁Ｗ内面に当接するように同建物壁Ｗの開口Ｗ１回りの差込木枠Ｗ２内に挿入した後、前記ネジ１００でその差込木枠Ｗ２に取付ける。
尚、木枠Ｗ２を設けていない場合には、例えばコンクリート地であっても前記化粧面をコンクリートビスやアンカーを使用して排気ユニットを取付ることは自由なものである。
図１に示すように建物壁Ｗを貫通状に取付けられる排気ユニット３と建物壁Ｗとの間に生じる隙間からの雨水の浸入を防止するために屋外側に排気ユニット３を外側から覆うウェザーカバーＷＣを取付けておくと更に好適なものとなる。
【００２３】
そして、ユニット吸込口３３ａと、フード部１の天板１１に開口されている送出口１１ａとに亘って排気ダクト２を接続し、ユニットケース１３内の制御部Ｃと、前記操作スイッチＳやランプレセプタＬとを有線で連絡している。
また、排気ユニット３は、建物壁Ｗの開口Ｗ１に取り付けるときに、自ずとユニットケース１３の下面に開口されている遠心送風機２３の排気口１３ａが屋外に臨むレイアウトになるように形成されている。
これによって、レンジフードＡの据付が完了し、調理により発生した廃ガスを排気ユニット３内の遠心送風機２３の運転で強制的に吸引し、室内のフード部１から排気ダクト２を経由してユニット吸込口３３ａから排気ユニット３内に流入させ、遠心送風機２３の吸込口２３ｅから排気口１３ａに流し、そして屋外に排気する。
また、レンジフードＡは、遠心送風機２３を排気源とする排気ユニット３が建物壁Ｗの壁厚を利用して据え付けられてフード部１と排気ダクト２、建物壁Ｗに取付けられる化粧パネル３３、電気配線のみが室内空間を占有した状態で使用可能となる。
【００２４】
従って、排気源とする遠心送風機２３が室内やフード部１内を占有することによるフード部１の設計上の制約を低減して、顧客にニーズに即応する意匠性の高いフード部１の設計を可能にすることができるし、ユニット化されているために、施工が容易となる。
また、前記ネジ１００を外せば、排気ユニット３の室内への抜き出しが行なえ、室内で化粧パネル３３を外して遠心送風機２３の修理や交換にあたることができる。
【００２５】
次に、本発明の第２の実施の形態を図２に基づいて説明すると、この実施の形態は、前記筒状のユニット吸込口３３ａにグリスフィルタ４を設け、そのグリスフィルタ４及び化粧パネル３３を覆うようにフード部１を配設した例を示すものである。
この実施の形態では、フード部１以外室内に露出するものはなく、キッチンの内装性を更に向上させることができる。
尚、この実施の形態では、前記化粧パネル３３としてフード部１の背板２１が兼務する場合を示している。
【００２６】
次に本発明の第３の実施の形態〜第９の実施の形態を続いて説明するが、第３、第４、第５、第８の実施の形態は、ウェザーカバーを省略して図示している。図３に示す第３の実施の形態は、送風機吸込口２３ｅに一端を接続する中間ダクト５をユニットケース１３内に水平状に配管する排気ユニット３を使用する例を示すものである。
この実施の形態の場合、化粧パネル３３に前記する実施の形態のように筒状のユニット吸込口３３ａを設けずに単なる開口３３ｂを穿設し、中間ダクト５の他端をその開口３３ｂから室内に僅か突出させ、排気ダクト２との接続ができるようになっている。
【００２７】
制御部Ｃは、ユニットケース１３のダクト外スペース（中間ダクト外スペース）に設置されている。
中間ダクト５は、流入抵抗の低減を避けるために途中に断面積の変化の少ない円筒形に形成されている。また、中間ダクト５は、排気流の流出や油などの漏水を考慮してパッキンなどのシール材Ｐを介して遠心送風機２３の吸込口２３ｅに接続されている。これにより、制御部Ｃ内の充電部（例えばコンローラと、操作スイッチ、ランプへのリード線との結線部）にその油が付着してショートや漏電が生じないようになっている。
従って、排気時の流入抵抗を低減して騒音、異音の発生を阻止した上に、制御部Ｃを保護することができる。
【００２８】
次に本発明の第４の実施の形態を図４及び図５に基づいて説明する。
この実施の形態は、取付対象となる建物壁Ｗの厚みに対応できるように排気ユニット３を伸縮可能な構成にした例を示すものである。
具体的には、ユニットケース１３と、中間ダクト５とを長さ方向前後に２分割し、相対する端部の一方側の口形の大きさを他方側の口形に対して大きくまたは小さくして嵌め合わせ、その嵌合代分スライド調節を可能にしている。
取付けの際には、まず建物壁Ｗの厚みを測定し、ユニットケース１３の排気口１３ａの全てが屋外に臨むように室内でその嵌合代を利用してユニットケース１３、中間ダクト５の長さを調節する。
調節の具体的な構成としては、図４に示すように、ユニットケース１３、中間ダクト５各々の分割体１３−１、１３−２、５−１、５−２における嵌合部の内側端部近傍の同一矩形周上または同一円周上の複数箇所にナット２００を溶接すると共に、外側端部近傍にそのナット２００に対応してユニットケース１３、中間ダクト５の長さ方向を向く長孔６を開孔し、その長孔６を挿通するネジ１００をそのナット２００に仮止めする構造を採用している。
そして、ユニットケース１３においては、長さを調節した後、外側からネジ１００を増し締めし、中間ダクト５においては、長さを調節した後、前記する化粧パネル３３を外した空間を利用して同様にネジ１００を増し締めし、再度化粧パネル３３を取着した状態で排気ユニット３を建物壁Ｗの開口Ｗ１に挿入して同建物壁Ｗの内面に取着する（図５参照）。
前記増し締め後、排気流の流出、油等の漏水を考慮してその嵌合部にアルミテープ３００等で目張りするとより好ましいものとなる。
この中間ダクト５の伸縮可能な構造としては、油等の漏水を確実に防止するために伸縮性のあるダクトを使用しても良いものである。
【００２９】
次に、本発明の第５の実施の形態を図６に基づいて説明する。
この実施の形態は、前記する第４の実施の形態の中間ダクト５の分割体５−１、５−２の一方を電動式ダンパー７を備えたダンパー支持ダクト５ａにした例を示すものである。
ダンパー支持ダクト５ａと、その前後に分割された中間ダクト５の分割体５−１、５−２の相対する端部は、その一方側の口形の大きさを他方側の口形に対して大きくまたは小さくして嵌め合わせ関係にして、その嵌合代分スライド調節を可能にしている。
調節の具体的な構成は、前記第４の実施の形態と同様であるため、具体的な説明は省略する。
このダンパー７は一般的にレンジフードＡの操作スイッチＳのファン運転ボタンをＯＮすると電動ダンパー７のモータ１７に通電され、ダンパー７を開にしたのち遠心式送風機２３の運転を開始し、ファン運転ボタンＯＦＦすると運転停止と同時にダンパー７が閉となるものである。
これらのダンパー構成部品全てがユニットケース２３内部に収容されており、ダンパー構造が外部から隠蔽された状態で設けられるために、意匠性を考慮して設けられていたダンパー機構隠蔽用の幕板等の設置の必要性がなくなり、設計上の制約を無くすことができる。
ダンパー７としては排気圧が発生した時点で通風路を開放する風圧シャッターや火災時に通風路を遮断するための防災ダンパーを使用することも自由なものである。
また、ダンパー支持ダクト５ａと、中間ダクト５の分割体との嵌合代分でスライド調節になるため、ユニットケース１３の伸縮機能との併用によって、取付対象となる建物壁Ｗの厚みに対応することもできる。
【００３０】
次に、本発明の第６の実施の形態を図７に基づいて説明する。
この実施の形態は、化粧パネル３３に遠隔操作用の受信部Ｂを外部に露出するように設けてフード部１から同受信部Ｂを分離した例を示すものである。
発信部Ｄである操作スイッチからの操作信号が無線でその受信部Ｂに向けて発信され、その信号に応じて送風機２３等の運転を開始及び停止したり、ランプを点灯・消灯させる。
この発信部Ｄは、フード部１に固定されているものでも良いし、別体式であっても良いものである。
この無線信号は赤外線を用いたものや電波信号も用いたものでも良く、電波式ならば露出する受信部Ｂは小さく外部からは目立ちにくいものとなる。
【００３１】
次に、本発明の第７の実施の形態を図８に基づいて説明する。
この実施の形態は、排気ユニット３の室内側からの取付工事でウエザーカバー等を用いることなくユニットケース１３と建物壁Ｗとの隙間からの雨の浸入が自ずと防止される例を示すものである。
この雨水浸入防止手段は、建物壁Ｗの差込木枠Ｗ２にネジ止めされた壁側枠部材９と、排気ユニット１３の外周にネジ止めされたユニット側枠部材１０と、そのどちらか一方または双方に設けられる環状シール材Ｐ１、即ち防水用パッキンとを備えている。
【００３２】
壁側枠部材９、ユニット側枠部材１０は共に縦断面視Ｌ形状を呈してなり、壁側枠部材９は、差込木枠Ｗ２の内面にネジ止めされてそのフランジ部１９を開口Ｗ１の屋外側縁から内側に突出させ、他方、ユニット側枠部材１０は、ユニットケース１３に対して前後位置を可変するようにスライド可能に取付けてフランジ部１０ａをユニットケース１３外周に起立させてある。
スライド可能とする手段は、前記する第４の実施の形態と同様にユニットケース１３の中途部内面各所の同一位置にナット２００を溶接し、ユニット側枠部材１０の基板１０ｂに長孔６を開孔し、その長孔６を挿通するネジ１００をナット２００に螺合して仮止めする構造を採用する。また、壁側枠部材９は、差込木枠Ｗ２にネジ止めする際、コーキング材４００を差込木枠Ｗ２との間に充填して雨水の浸入を防止させてある。
【００３３】
そして、予め建物壁Ｗの厚みを計測して丁度良い位置にそのユニット側枠部材１０を増し締めによって固定した後、フランジ部１９、１０ａ同士で前記環状シール材Ｐ１が押圧されるように排気ユニット３を差込木枠Ｗ２内に挿入し、化粧パネル３３を差込木枠Ｗ２や建物壁Ｗに室内側からネジ止めする。
これによって、フランジ部１９、１０ａ間の防水用パッキンＰ１が雨水の浸入を防止する。
【００３４】
次に、本発明の第８の実施の形態を図９に基づいて説明する。
この実施の形態は、排気ユニット３内の遠心式送風機２３のボリュート形状を有するケーシング２３ｄの下端部に油排出口２３ｄ−１を設け、排出された油を屋外または室内に案内するための案内手段を設けた例を示すものである。
レンジフードＡを長期間使用するとフード部１に設けられたグリスフィルタ４で捕集しきれなかった油が遠心送風機２３のケーシング２３ｄ下端部に溜まる。万一天ぷら火災が発生した場合、遠心送風機２３内部に溜まった油に引火し、他に延焼する危険性があるため、火災を未然に防止するためには送風機内に溜まる油を効率よく排出する必要がある。
そのため、図９（ａ）に示すようにケーシング２３ｄの下端部に案内手段として排油ノズル２３ｄ−１を設けており、そのノズル２３ｄ−１には屋外への耐油性のホース２３ｄ−２や案内レールを取り付けている。
また、図９（ｂ）に示すように前記ケーシング２３ｄ下端部を始端とする油誘動パイプ４００を室内に案内すると共に、その油誘動パイプ４００をオイルパック５００に連絡して案内手段を構成しても良いものである。
オイルパック５００は、例えばフード部１の背板２１に係脱可能にしておき、貯油量を見計らって外して廃棄する。
【００３５】
次に本発明の第９の実施の形態を図１０に基づいて説明する。
この実施の形態は前記雨水浸入防止手段の他の例を示すものである。
雨水浸入防止手段は、差込木枠Ｗ２の屋外側端面に枠部材Ｗ２ａを設け、その枠部材Ｗ２ａに環状薄肉パッキンＰ２を設けて構成されている。
枠部材Ｗ２ａは複数分割化しておき、これを室内から挿入し、端面同士が当接するように枠部を構成するように配置し各々の分割枠体Ｗ２ａ−１を開口内面にネジ止めする。
環状薄肉パッキンＰ２は、各分割枠体Ｗ２ａ−１…に貼着等の適宜手段で止着しておき、分割枠体Ｗ２ａ−１…の開口Ｗ１への挿入時は自らの弾性変形でその挿入を妨げず、分割枠体をネジ止めした時点で開口Ｗ１の屋外側口に周縁に一半部が臨むようになっている。
そして、排気ユニット３を室内側から挿入することで自ずと環状薄肉パッキンＰ２がその排気ユニット３の外面に馴染むよう弾性変形して密着し、雨水の浸入を防止することができる。
【００３６】
各実施の形態を効果的に組み合せて、ユニットケース、中間ダクト、ダンパーを備えたダンパー支持ダクトを有する中間ダクト等が伸縮可能な排気ユニットにおいて、前記第７、第９の実施の形態で示す雨水浸入防止手段を採用すること自由なものである。
【００３７】
【発明の効果】
以上の実施例の説明から明らかなように、本発明によれば、遠心送風機を収容した排気ユニットを屋内から屋外にかけて建物壁に設置することができるので、従来のように室内側に設置される遠心送風機がフード部のデザインを設計する際の障害にならず、顧客のニーズに即応する斬新な形態のフード部を構成でき、意匠性と共に商品価値が高いレンジフードを提供することができる。
【００３８】
しかも、その排気手段をユニット化しておくことによって、取付現場への搬入が簡単である上、室内側から建物壁の開口に挿入して容易に取付られ、高層化する建物壁への取付に最適となる。
【００３９】
また、排気ユニットは、建物壁への取付時にユニットケースの下面に開口した排気口が屋外に臨むようになるので、排気口から雨水が流入する虞れがない。
しかも、ユニットケース内に縦方向を向けて収容される遠心送風機の吸込口と、フード部に連通される排気ダクトとを中間ダクトを介して接続しているから、吸い込まれた廃ガスが遠心送風機吸入口に到達するまでに拡大や縮小が殆ど発生しないことから流入抵抗が低減し流入抵抗に起因して起こる送風機ファン回転数の上昇による騒音の増大や乱流発生による異常音の発生が防止できる。
【００４０】
また、遠心送風機よりも上流側のユニットケース内にダンパーを設けると、ダンパーがフード部側や室内側に設けられた場合に比べフード部の設計上の制約が低減される。
特にモータを用いて開閉するダンパーが設けられる場合は外観上開閉モータ及び開閉機構一式を隠蔽する必要性があり設計上大きな制約を与えやすいものであったが、これらのダンパーをその機構類と共にユニットケースの空きスペースを有効利用して備えるだけで良く室内側のフード部の設計にはダンパーと共にその機構を隠蔽するための幕板等を設置する設計上の制約もなくなる。
【００４１】
また、ユニットケース及び中間ダクトを伸縮可能な構造とすることで、排気ユニットが設置される建物壁の厚さが異なる場合であっても自由に対応することが可能となり汎用性が高くなる。
【００４２】
また、中間ダクトはダンパーを備えたダンパー支持ダクトを有し、そのダンパー支持ダクトとの嵌合代で中間ダクトが伸縮可能にしてある場合には、建物壁の厚さが異なる場合であってもダンパーを内部に備えた排気ユニットをその厚みに対応して取付でき、商品価値は更に向上する。
【００４３】
また、ユニットケース内に制御部を、無線式の遠隔操作用受信部をフード部外に設けて、遠隔操作信号の発信部である操作部だけをフード部に取り付けることで、フード部に配線されるリード線による設計上の制約を低減できる。
しかも、その操作部をフード部に設けずに別体式とすれば、フード部は操作部の設置による設計上の制約も低減できることになる。
その上、制御部をユニットケース内に設けた場合などはダンパーモータからの配線類は非常に短いものでよくコストの低減やノイズ等の影響を受けず、より好適なものとなる。
また、排気ユニット内における中間ダクトとの間の余白スペースを利用して設置された制御部やその他の電気部品等が油に曝されることがないためショートや漏電に対する安全性が確保でき、また排気ユニットの清掃エリアの縮小が図れ、便利でもある。
【００４４】
また、遠心送風機のケーシングの下端に油排出口を設け、排出された油を屋外に案内するための案内手段を設けたことで、遠心送風機の内部に油が溜まらず、万一天ぷら火災が発生した場合においても他への延焼を防止することができる。
【００４５】
更に、建物壁開口に壁側枠部材を設ける一方、排気ユニットの外周にユニット側枠部材を設け、一方もしくは双方の枠部材に環状シール材を設けて、排気ユニットの取付時に両枠部材で環状シール部が押圧される構成や、建物壁開口に環状薄肉状パッキンを設け、その環状薄肉状パッキンが建物壁開口への挿入時の排気ユニットで弾性変形される構成にあっては、ウエザーカバー等を使用することなく室内側からの取付工事で簡単に高い防水性を実現できる。
その上、挿入時の排気ユニットで弾性変形される環状薄肉状パッキンを建物壁開口に設けたものにあっては、防水手段に使用する部品を少なく抑制し、低コストで雨水の浸入を防止できる。
【００４６】
しかも、前記ユニット側枠部材の取付位置を調節可能にしてあると、建物壁の厚さが異なる場合であっても室内側からの取付工事で容易に防水性を保持することができる。
【図面の簡単な説明】
【図１】本発明の第１の実施の形態のレンジフード設置状態を示す側面断面図。
【図２】同第２の実施の形態のレンジフード設置状態を示す側面断面図。
【図３】同第３の実施の形態のレンジフードの要部の設置状態を示す側面断面図。
【図４】同第４の実施の形態の排気ユニットを示し、（ａ）は、側面断面図、（ｂ）は、平面図で一部省略して示す。
【図５】同第４の実施の形態の排気ユニットの長さを調整した後、建物壁の開口に挿入する状態を示す側面断面図。
【図６】同第５の実施の形態のレンジフードの要部の側面断面図。
【図７】同第６の実施の形態のレンジフードの側面断面図。
【図８】同第７の実施の形態のレンジフードの要部の側面断面図。
【図９】同第８の実施の形態の排気ユニットを示し、（ａ）は、ユニットケースとケーシングとの縦断面図、（ｂ）は、設置状態を示す側面断面図。
【図１０】同第９の実施の形態の排気ユニットを示し、（ａ）は、排気ユニットを建物壁の開口に挿入する状態を示す側面断面図、（ｂ）は、設置状態を示す側面断面図。
【符号の説明】
Ａ：レンジフード                    １：フード部
２：排気ダクト                      ３：排気ユニット
５：中間ダクト                    ５ａ：ダンパー支持ダクト
７：ダンパー                        ９：壁枠側枠部材
１０：ユニット側枠部材              １３：ユニットケース
１３ａ：排気口                        ２３：遠心送風機
２３ｅ：吸込口                        ３３：取付部
Ｗ：建物壁                        Ｗ１：開口（建物壁の開口）
Ｂ：受信部                          Ｃ：制御部
Ｄ：発信部                        Ｐ１：環状シール材
Ｐ２：環状薄肉パッキン
【図１】
0003967579.tif 000002
【図２】
0003967579.tif 000003
【図３】
0003967579.tif 000004
【図４】
0003967579.tif 000005
【図５】
0003967579.tif 000006
【図６】
0003967579.tif 000007
【図７】
0003967579.tif 000008
【図８】
0003967579.tif 000009
【図９】
0003967579.tif 000010
【図１０】
0003967579.tif 000011